(57)【要約】【課題】内部状態情報や操作方法の説明情報を汎用性の高いインターフェースによって簡易かつ正確に外部装置へ伝送する機能や，外部装置へ伝送した内部状態情報を汎用性の高いインターフェースによって簡易に入力し，その入力情報に応じた処理を実行する機能等を備えたＡＶ機器を提供すること。【解決手段】制御回路８が，内部状態情報や操作説明情報を表すＱＲコードを生成し，映像処理回路６が，そのＱＲコードを含む画像の画像信号を生成して映像表示部に出力する。また，制御回路８は，ＩｒＳｉｍｐｌｅ受光部９ｂを通じてＱＲコードのデコード情報を受信し，そのデコード情報に対応する処理を実行する。例えば，デコード情報に含まれる音声及び映像の出力処理の内容を定めるパラメータの設定情報に基づいてそのパラメータの設定処理を実行，或いはデコード情報に含まれるコンテンツの再生処理のレジューム情報に基づいてレジューム再生処理を実行する。【選択図】図２
2009049948.tif 000002
【特許請求の範囲】
【請求項１】
表示手段に画像信号を出力して画像を表示させる機能を備えたＡＶ機器であって，
当該ＡＶ機器内部の状態を表す内部状態情報又は当該ＡＶ機器の操作方法の説明情報を含む情報を表すＱＲコードを生成するＱＲコード生成手段と，
前記ＱＲコード生成手段により生成されたＱＲコードを含む画像の画像信号を生成して前記表示手段に出力するＱＲコード画像信号出力手段と，
を具備してなることを特徴とするＡＶ機器。
【請求項２】
前記内部状態情報が，音声及び映像の一方若しくは両方の出力処理の内容を定めるパラメータの設定情報，放送番組の録画予約の設定情報，所定の記憶手段に記憶されたコンテンツの再生処理のレジューム情報，異常状態の情報，処理の実行履歴の情報及び操作履歴の情報のうちの１又は複数を含んでなる請求項１に記載のＡＶ機器。
【請求項３】
所定の信号受信手段を通じてＱＲコードのデコード情報を受信するデコード情報受信手段と，
前記デコード情報受信手段による受信情報に対応する処理を実行するデコード情報対応処理実行手段と，
を具備してなる請求項１又は２のいずれかに記載のＡＶ機器。
【請求項４】
ＱＲコードを含む画像の画像データを取得する画像データ取得手段と，
前記画像データ取得手段により取得された画像データに基づく画像に含まれるＱＲコードをデコードするＱＲコードデコード手段と，
前記ＱＲコードデコード手段によるデコード情報に対応する処理を実行するデコード情報対応処理実行手段と，
を具備してなる請求項１又は２のいずれかに記載のＡＶ機器。
【請求項５】
前記デーコード情報対応処理実行手段が，
前記デコード情報に含まれる音声及び映像の一方若しくは両方の出力処理の内容を定めるパラメータの設定情報に基づいて該パラメータの設定処理を実行するパラメータ設定手段を具備してなる請求項３又は４のいずれかに記載のＡＶ機器。
【請求項６】
所定の記憶手段に記憶されたコンテンツの再生処理を実行するコンテンツ再生手段を具備し，
前記デーコード情報対応処理実行手段が，
前記デコード情報に含まれるコンテンツの再生処理のレジューム情報に基づいて前記コンテンツの再生開始位置を特定し，特定した再生開始位置から前記コンテンツ再生手段による再生処理を開始させるレジューム再生制御手段を具備してなる請求項３〜５のいずれかに記載のＡＶ機器。
【請求項７】
前記ＱＲコード生成手段が，前記内部状態情報と該内部状態情報の送信先を表す宛先情報とを含む情報を表すＱＲコードを生成してなる請求項１又は２のいずれかに記載のＡＶ機器。
【発明の詳細な説明】
【技術分野】
【０００１】
本発明は，表示手段に画像信号を出力して画像を表示させる機能を備えたＡＶ機器に関するものである。
【背景技術】
【０００２】
表示装置に画像信号を出力して画像を表示させるテレビジョン受像機や録画再生装置等のＡＶ機器は，自装置内部の状態を表す各種の情報（以下，内部状態情報という）をメモリに記憶させ，その情報に基づいて各種の処理を実行したり，その情報を表示装置や外部装置に出力したりする機能を備えている。
例えば，テレビジョン受像機は，音声や映像の出力処理の内容を定めるパラメータの設定情報を記憶し，その設定情報に基づいてイコライズ処理や出力映像の輝度の調節処理等を実行する。また，録画再生装置は，放送番組の録画予約の設定情報を記憶し，その設定情報に基づいて放送番組の自動録画処理を実行する。また，デジタル式の録画再生装置の中には，ハードディスクやＤＶＤ等の記憶部に記憶された録画データの再生処理を実行途中で再生の中断操作（再生終了操作）がなされた場合に，その再生処理の中断位置の情報（いわゆるレジューム情報）を記憶し，次に同じ録画データについて再生開始操作がなされた場合に，その記憶した中断位置から録画データの再生処理を開始するレジューム再生機能を備えるものも多い。また，装置内部の異常状態の情報を記憶し，所定の操作に応じてその異常状態の情報を表示部に表示させる異常通知機能を備えたＡＶ機器も存在する。
また，昨今のＡＶ機器は，高機能化に伴って操作方法が複雑化しており，取扱説明書を読むことは面倒であることから，ユーザが操作に混迷したり，設けられた機能が十分に利用されなかったりする状況がある。これに対し，昨今のＡＶ機器は，操作部に設けられた所定の専用キー（例えば，ＨＥＬＰキー）の操作に応じて，その操作方法の説明情報の画面を自装置又は外部装置の映像表示部に表示させる機能（以下，説明画面出力機能という）を備えるものもある。
図７は，従来のＡＶ機器が，その映像表示部に，所定の映像ｖ３を表示させているときに，ＨＥＬＰキー等が操作されたことにより，その映像表示部に前記説明画面出力機能によって操作方法の説明情報の画面ｖ４を表示させた状態を表す図である。
【０００３】
一方，インターネットへの接続機能を備えた昨今のカメラ付き携帯電話機は，そのカメラによりＱＲコードが撮像された場合に，そのＱＲコードをデコードし，デコード情報に含まれる通信アクセス先の情報（ＵＲＬやメールアドレス等）に基づいてインターネットを通じた通信アクセスを実行する機能を有するものが多い。このようなカメラ付き携帯電話機の普及にともない，新聞や雑誌，インターネット上のホームページ等において，通信アクセス先の情報（ＵＲＬやメールアドレス等）を表すＱＲコードが表記される例が増えている。これにより，宣伝広告や懸賞応募の宛先をキー操作で入力する手間を省略でき，また，入力ミスも防止できる。
また，特許文献１には，カメラ付き携帯電話機が，撮像画像に含まれるＱＲコードをデコードし，そのデコード情報に番組予約情報が含まれる場合に，その番組予約情報をビデオ録画装置に送信する番組予約方法が示されている。
【特許文献１】特開２００６−１１５３１０号公報
【発明の開示】
【発明が解決しようとする課題】
【０００４】
ところで，ＡＶ機器のユーザサポートサービスにおいて，サービス提供者が，ＡＶ機器における前記内部状態情報（前記パラメータの設定情報や異常状態の情報等）を知りたい場合が多い。その場合，ユーザが，所定の操作によって前記内部状態情報を表示部に表示させ，その表示情報を電話や電子メール等によってサービス提供者に伝える必要がある。しかしながら，従来，機器の知識に乏しいユーザからサービス提供者へ必要な内部状態情報を正確に伝えることが難しいという問題点があった。ここで，ＡＶ機器が，インターネットへの接続機能と，その機能を利用して前記内部状態情報をサービス提供者側へ送信する機能とを備えることも考えられる。しかしながら，ユーザそれぞれのインターネット接続環境は多種多様であるため，各ユーザがＡＶ機器に対してインターネット接続のための設定を行う作業が手間であり，さらに，ユーザがインターネット接続環境を有さない場合には適用できないという問題点がある。
【０００５】
また，ＡＶ機器において，部品交換や誤操作等によって前記パラメータの設定情報が初期化された場合，その設定情報を再設定する操作が手間であるという問題点もあった。また，テレビジョン受像機のように，１台の装置を複数のユーザで共用されるＡＶ機器において，各ユーザの嗜好や視聴するコンテンツの種類（音楽番組かスポーツ番組か等）に対応した前記パラメータの設定情報の内容が異なる場合，ユーザごと或いはコンテンツの種類ごとに前記パラメータの設定情報を再設定する作業が手間であるという問題点もあった。
また，録画再生装置は，再生対象となるコンテンツが着脱自在の記憶メディア（ＤＶＤ等）に記憶されている場合，一般に，その記憶メディアの入れ替え（機器からの取り出し）の検知に応じて，再生のレジューム情報を初期化する。そのため，録画再生装置において，記憶メディアの入れ替えが行われた場合には，レジューム再生機能が有効とならないという問題点があった。
以上に示したように，従来のＡＶ機器は，その内部状態情報を汎用性の高いインターフェースによって簡易かつ正確に外部装置へ伝送する機能や，外部装置へ伝送した内部状態情報を汎用性の高いインターフェースによって簡易に入力し，その入力情報に応じた処理を実行する機能を十分に備えていなかった。
また，ＡＶ機器が，所定の映像を自装置又は外部装置の映像表示部に表示させているときに，その映像表示部に前記説明画面出力機能によって操作方法の説明情報を表示させると，その説明情報の情報量が多い場合には図７に示したように元の表示画面が遮られてしまい，説明情報を表示させたままでは操作を円滑に進めることができなくなるという問題点もあった。例えば，ユーザは，説明情報を表示させてその内容を確認した上で，再度その説明情報の表示を解除（消去）した上で所定の操作を行い，その操作の途中で再び説明情報を表示させてその内容を再確認するといった煩雑な操作を強いられる場合がある。
従って，本発明は上記事情に鑑みてなされたものであり，その目的とするところは，内部状態情報を汎用性の高いインターフェースによって簡易かつ正確に外部装置へ伝送する機能や，外部装置へ伝送した内部状態情報を汎用性の高いインターフェースによって簡易に入力し，その入力情報に応じた処理を実行する機能，さらには，既に表示中の画面を極力遮ることなく操作方法の説明情報を提供できる機能を備えたＡＶ機器を提供することにある。
【課題を解決するための手段】
【０００６】
上記目的を達成するために本発明に係るＡＶ機器は，内蔵する或いは外部装置が備える表示手段に画像信号を出力して画像を表示させる機能を備え，さらに，次の（１）及び（２）に示す各構成要素を備えるものである。
（１）当該ＡＶ機器内部の状態を表す情報（内部状態情報）又は当該ＡＶ機器の操作方法の説明情報を含む情報を表すＱＲコードを生成するＱＲコード生成手段。
（２）前記ＱＲコード生成手段により生成されたＱＲコードを含む画像の画像信号を生成して前記表示手段に出力するＱＲコード画像信号出力手段。
本発明に係るＡＶ機器によれば，前記内部状態情報や操作方法の説明情報を汎用性の高いインターフェースであるＱＲコードを介して簡易かつ正確に外部装置（カメラ付き携帯電話機やデジタルカメラ等がその典型例）へ伝送することができる。これにより，前記外部装置において，ＱＲコードやそのデコード情報を用いた各種の処理，例えば，取得したＱＲコードやそのデコード情報を前記外部装置が備える表示部に表示させる処理や，さらに他の装置へ転送する処理等を実行することができる。ここで，ＱＲコードのデコード情報がＡＶ機器の操作方法の説明情報である場合，前記外部装置が，その説明情報（デコード情報）を自装置の表示部に表示させれば，本発明に係るＡＶ機器によって既に表示中の画面を極力遮ることなく，情報量の多い操作方法の説明情報が前記外部装置を通じてユーザに提供される。
ここで，前記内部状態情報は，例えば，次の（Ｉ１）〜（Ｉ６）に示す各情報のうちの１又は複数を含む情報であることが考えられる。
（Ｉ１）音声及び映像の一方若しくは両方の出力処理の内容を定めるパラメータの設定情報。
（Ｉ２）放送番組の録画予約の設定情報。
（Ｉ３）所定の記憶手段に記憶されたコンテンツの再生処理のレジューム情報。
（Ｉ４）異常状態の情報。
（Ｉ５）処理の実行履歴の情報。
（Ｉ６）操作履歴の情報。
【０００７】
また，本発明に係るＡＶ機器が，以下の（１−１）及び（１−２）に示す各構成要素，又は（２−１）〜（２−３）に示す各構成要素を備えればなお好適である。
（１−１）所定の信号受信手段を通じてＱＲコードのデコード情報を受信するデコード情報受信手段。
（１−２）前記デコード情報受信手段による受信情報（デコード情報）に対応する処理を実行するデコード情報対応処理実行手段。
（２−１）ＱＲコードを含む画像の画像データを取得する画像データ取得手段。
（２−２）前記画像データ取得手段により取得された画像データに基づく画像に含まれるＱＲコードをデコードするＱＲコードデコード手段。
（２−３）前記ＱＲコードデコード手段によるデコード情報に対応する処理を実行するデコード情報対応処理実行手段。
なお，以下，（１−２）に示したデコード情報対応処理実行手段のことを第１のデコード情報対応処理実行手段と称し，（２−３）に示したデコード情報対応処理実行手段のことを第２のデコード情報対応処理実行手段と称する。
ここで，前記画像データ取得手段としては，所定の信号伝送媒体（赤外線信号等）を通じて外部装置から画像データを受信する画像データ受信手段，或いは二次元の像を撮像して画像データを得る撮像手段が考えられる。この撮像手段は，前記表示手段に表示されたＱＲコードを撮像する手段及びその撮像画像を表示する手段を備えた外部装置によって表示されたＱＲコードを撮像するものである。
本発明に係るＡＶ機器がこれらの構成を備えれば，外部装置（カメラ付き携帯電話機やデジタルカメラ等がその典型例）へ伝送した内部状態情報を汎用性の高いインターフェースであるＱＲコードを介して簡易に入力し，その入力情報に応じた処理を実行することができる。
例えば，前記デーコード情報対応処理実行手段が，前記デコード情報に含まれる音声及び映像の一方若しくは両方の出力処理の内容を定めるパラメータの設定情報に基づいてそのパラメータの設定処理を実行するパラメータ設定手段を備えることが考えられる。
これにより，部品交換や誤操作等によって前記パラメータの設定情報が初期化された場合や，当該ＡＶ機器を共用する複数のユーザの嗜好や視聴するコンテンツの種類に対応した前記パラメータの設定情報の内容が異なる場合に，前記パラメータの設定情報のＱＲコードを外部装置（カメラ付き携帯電話機等）で予め撮影し，その撮像画像データ（ＱＲコードの画像データ）或いはそのＱＲコードのデコード情報をその外部装置に記憶させておけば，前記パラメータの設定情報を再設定する手間を軽減できる。
また，前記画像データ取得手段及び前記ＱＲコードデコード手段を備える場合，内部状態情報の伝送先である外部装置は，ＱＲコードを撮影する撮像手段（カメラ）と，その撮像画像のデータを記憶する手段と，その画像データに基づく画像を表示する手段若しくはその画像データをＡＶ機器へ送信する手段を備えていればよく，その撮像画像に含まれるＱＲコードのデコード機能を備える必要がない。そのため，前記外部装置として一般的なデジタルカメラやＱＲコードのデコード機能を備えていないカメラ付き携帯電話機等を用いることもできる。
なお，前記デコード情報受信手段が利用する信号受信手段としては，例えば，ＩｒＳｉｍｐｌｅ規格に準拠した無線信号受信等の赤外線による無線信号受信手段を採用することが汎用性の高さの面で好適である。
【０００８】
また，本発明に係るＡＶ機器が，所定の記憶手段に記憶されたコンテンツの再生処理を実行するコンテンツ再生手段を備え，前記デーコード情報対応処理実行手段が，前記デコード情報に含まれるコンテンツの再生処理のレジューム情報に基づいて前記コンテンツの再生開始位置を特定し，特定した再生開始位置から前記コンテンツ再生手段による再生処理を開始させるレジューム再生制御手段を備えることも考えられる。
これにより，当該ＡＶ機器（ここでは，録画再生装置）は，再生対象となるコンテンツが着脱自在の記憶メディア（ＤＶＤ等）に記憶されており，その記憶メディアの入れ替えが行われた場合であっても，レジューム再生機能を有効にすることができる。
【０００９】
また，前記ＱＲコード生成手段が，前記内部状態情報とその内部状態情報の送信先を表す宛先情報（ＵＲＬや電子メールアドレス等）とを含む情報を表すＱＲコードを生成することが考えられる。
これにより，ごく一般的な携帯電話機（インターネット接続機能を備えたカメラ付き携帯電話機）を用いて，前記表示手段に表示されたＱＲコードの撮影，その撮影画像に基づくＱＲコードのデコード，及びそのデコード情報に基づく前記内部状態情報のインターネットを通じた送信を簡易に行うことができる。例えば，ＡＶ機器のユーザが，ユーザサポートサービスを受けるために，そのＡＶ機器の内部状態情報を電子メールやホームページへのアクセスを通じてサービス提供者側に送信することが容易となる。
【発明の効果】
【００１０】
本発明によれば，内部状態情報を汎用性の高いインターフェースであるＱＲコードを介して簡易かつ正確に外部装置へ伝送でき，また，外部装置へ伝送した内部状態情報を汎用性の高いＱＲコードを介して簡易に入力し，その入力情報に応じた処理を実行することができる。また，本発明によれば，ＡＶ機器の操作方法の説明情報をＱＲコードを介して簡易に外部装置へ伝送できるため，外部装置においてその説明情報（ＱＲコードのデコード情報）を表示させることができる。ここで，ＱＲコードは大量の情報をごく小さなスペースに集約表記できる（１つのＱＲコードで約２千文字分の情報）ものである。そのため，本発明によれば，前記説明情報の情報量が多い場合であっても，前記表示手段に既に表示させている画面を極力遮ることなくその説明情報を前記外部装置を通じてユーザに提供することができる。そして，ユーザは，前記外部装置を通じて提供される前記説明情報を参照しつつ，本発明に係るＡＶ機器の操作を円滑に進めることができる。以上に示したことから，本発明によれば非常に操作性に優れたＡＶ機器を提供できる。
【発明を実施するための最良の形態】
【００１１】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係るＡＶ機器の一例であるテレビジョン受像機Ｘの概略構成を表すブロック図，図２はテレビジョン受像機ＸにおけるＱＲコード出力処理の手順を表すフローチャート，図３はテレビジョン受像機ＸにおけるＱＲコードデコード情報対応処理の手順を表すフローチャート，図４はテレビジョン受像機ＸにおけるＱＲコード出力選択メニュー画面の例を表す図，図５はテレビジョン受像機ＸにおけるＱＲコードの表示例を表す図，図６は本発明の実施例に係るＡＶ機器の一例であるテレビジョン受像機Ｘ’の表示画面及び携帯端末の表示画面の一例を表す図，図７は従来のＡＶ機器がその映像表示部に映像と操作方法の説明情報とを表示させた状態を表す図である。
【００１２】
まず，図１に示すブロック図を参照しつつ，本発明の実施形態に係るＡＶ機器の一例であるテレビジョン受像機Ｘの構成について説明する。
テレビジョン受像機Ｘは，入力された放送信号やＡＶ信号に基づいて映像表示部１６（表示手段の一例）に映像信号（画像信号と同義）を出力して映像（画像）を表示させる機能を備えるとともに，入力された放送信号やＡＶ信号に基づく録画機能及びその録画機能により得られた録画データ（コンテンツ）の再生機能を備えるＡＶ機器の一例である。
図１に示すように，テレビジョン受像機Ｘは，ディジタルチューナ１，復調回路２，デマルチプレクサ３，映像デーコーダ回路４，映像入力選択回路５，映像処理回路６，外部入力部７，制御回路８，リモコン受光部９ａ及びＩｒＳｉｍｐｌｅ受光部９ｂ，リモコン１５，映像表示部１６，録画・再生回路１７，ハードディスクドライブ１８，ＤＶＤドライブ１９，音声デコーダ回路１０，音声入力選択回路１１，音声処理回路１２，アンプ１３，及びスピーカ１４等を具備している。
【００１３】
前記ディジタルチューナ１は，前記制御回路８により選択を指示された放送番組の信号が含まれる搬送波周波数成分を選択して後段の復調回路２に伝送する。
前記復調回路２は，前記ディジタルチューナ１から伝送されてきた搬送波周波数成分からトランスポートストリーム信号（Transport Stream信号：以下、ＴＳ信号）を復調する。
前記デマルチプレクサ３は，前記ディジタルチューナ１及び前記復調回路２により抽出されたＴＳ信号から，視聴する放送番組に対応した映像信号及び音声信号，並びに付加データ等を分離して抽出するものである。さらに，前記デマルチプレクサ３は，前記制御回路８から受けたＰＩＤ（Packet IDentification)に応じて，視聴対象となる放送番組の映像信号及び音声信号を抽出し，各信号を前記映像デコーダ回路４及び前記音声デコーダ回路１０それぞれに伝送する。
前記映像デコーダ回路４は，前記デマルチプレクサ３から受けた映像信号を復号し，復号した映像信号を前記映像入力選択回路５に伝送する。同様に，前記音声デコーダ回路１０は，前記デマルチプレクサ３から受けた音声信号を復号し，復号した音声信号を前記音声入力選択回路１１に伝送する。
【００１４】
前記外部入力部７は，外部機器からＡＶ信号（映像信号及び音声信号）を入力する信号入力インターフェースである。この外部入力部７を通じて入力された映像信号は前記映像入力選択回路５へ伝送され，同音声信号は前記音声入力選択回路１１へ伝送される。
前記映像入力選択回路５は，前記制御回路８からの制御指令に従って，前記ディジタルチューナ１により選局されたチャンネルの映像信号（前記映像デコーダ回路４を通じて入力される映像信号）と，前記外部入力部７を通じて入力される映像信号と，録画・再生回路１７から入力される映像信号（再生信号）のいずれかを選択して前記映像処理回路６へ伝送する回路である。
前記映像処理回路６は，前記映像入力選択回路５により選択された映像信号に対して各種信号処理を行うものである。例えば，前記映像処理回路６は，制御回路８から伝送される画像情報や文字情報を映像入力選択回路５から伝送される映像信号に重ねて或いは置き換えて映像表示部１６に表示させる機能を備えている。
【００１５】
前記音声入力選択回路１１は，前記制御回路８からの制御指令に従って，前記ディジタルチューナ１により選局されたチャンネルの音声信号（前記音声デコーダ回路１０を通じて入力される音声信号）と，前記外部入力部７を通じて入力される音声信号と，録画・再生回路１７から入力される音声信号（再生信号）のいずれかを選択して前記音声処理回路１２へ伝送する回路である。
前記音声処理回路１２は，前記制御回路８からの指示に従って，前記音声入力選択回路１１により選択された音声信号に対して各種信号処理を行うものである。例えば，前記スピーカ１４の特性に合わせたイコライズ処理や，サラウンド処理等を行う。前記アンプ１３は，前記音声処理回路１２による処理後の音声信号を，前記制御回路８からの指示に従って増幅或いは減衰させる処理を行い，前記スピーカ１４に出力するものである。
また，前記映像表示部１６は，映像処理回路６から出力される映像信号に基づく映像を表示するものである。
【００１６】
前記リモコン受光部９ａは，当該テレビジョン受像機Ｘの操作用のリモコン１５（リモート操作器）から，所定の信号伝送プロトコル（いわゆるリモコンプロトコル）に従って比較的低速な信号伝送により，赤外線による無線信号受信を行う信号伝送インターフェースである。前記リモコン受光部９ａにおける赤外線信号の波長は，９４０〜９５０ｎｍ程度であり，その信号伝送速度は数ｋｂｐｓ程度である。前記リモコン受光部９ａは，赤外線信号伝送によって前記リモコン１５に対する操作入力情報を取得し，その操作入力情報を前記制御回路８に伝送する。
前記ＩｒＳｉｍｐｌｅ受光部９ｂは，周知のＩｒＳｉｍｐｌｅ規格に準拠した信号伝送インターフェースであり，前記リモコン受光部９ａよりも高速で赤外線による無線信号受信を行うことによって画像データの受信を行う。前記ＩｒＳｉｐｍｐｌｅ受光部９ｂにおける赤外線信号の波長は，８５０〜９００ｎｍ程度であり，その信号伝送速度は４Ｍｂｐｓ程度である。前記ＩｒＳｉｍｐｌｅ受光部９ｂは，携帯電話機などの携帯端末２０からデータを受信し，その受信データを前記制御回路８に伝送する。
【００１７】
前記制御回路８は，演算手段であるＭＰＵ８ａ，そのＭＰＵ８ａによって実行される制御プログラムが予め格納される記憶手段であるＲＯＭ８ｂ（ＥＰＲＯＭ），前記ＭＰＵ８ａが実行する処理において読み書き（参照又は書き込み）される各種データを記憶する不揮発メモリ８ｃ等を備え，当該テレビジョン受像機Ｘ全体を制御するものである。前記不揮発メモリ８ｃは，例えばフラッシュメモリ等である。
また，制御回路８は，リモコン１５に対する操作に応じて，音声及び映像の出力処理の内容を定めるパラメータ情報を設定して不揮発メモリ８ｃに記憶させるパラメータ設定処理や，放送番組の録画予約の情報を設定してハードディスクドライブ１８のディスクに記憶させる録画予約情報設定処理を実行する。前記パラメータ情報には，例えば音声の周波数帯域ごとのゲイン増減に関するイコライズ情報等の音質に関するパラメータ情報や，映像の輝度やコントラスト，色相等の画質に関するパラメータ情報等が含まれる。また，前記録画予約の情報には，録画対象とする番組の放送チャンネル，録画開始時刻，録画終了時刻等の情報が含まれる。
また，制御回路８は，予め定められた異常検出アルゴリズムに従って当該テレビジョン受像機Ｘの異常状態を検出し，異常状態を検出した場合に，その異常状態の情報を不揮発メモリ８ｃに記憶させる異常検出処理を実行する。さらに，制御回路８ｃは，異常状態に至るプロセスの解明に役立てるため，ＭＰＵ８ａが実行した処理の実行履歴情報及び操作部（リモコン１５又は携帯端末２０）を通じた操作履歴情報を不揮発メモリ８ｃに記録し，それら履歴情報を最新の予め定められた個数（処理のステップ数又は操作入力の数）だけ不揮発メモリ８ｃに保存させる履歴記録処理を実行する。
さらに，制御回路８は，前記ＩｒＳｉｍｐｌｅ受光部９ｂを通じて受信したデータを前記不揮発メモリ８ｃに記憶させるとともに，その受信データの内容に対応した処理を実行する。
【００１８】
また，前記録画・再生回路１７は，デジタルチューナ１又は外部入力部７を通じて入力されるコンテンツ（放送番組等）の信号（映像信号及び音声信号）を圧縮符号化してハードディスクドライブ１８のディスク（ハードディスク）又はＤＶＤドライブ１９のディスク（ＤＶＤ）に記録する録画処理を実行する。さらに，録画・再生回路１７は，ハードディスクドライブ１８のディスク（ハードディスク）又はＤＶＤドライブ１９のディスク（ＤＶＤ）に記憶されたコンテンツのデータ（録画データ）を復号化し，復号化後の信号（再生信号）を出力する再生処理も実行する（前記コンテンツ再生手段の一例）。再生信号における映像信号は，映像入力選択回路５及び映像処理回路６を通じて映像表示部１６に出力される。また，再生信号における音声信号は，音声入力選択回路５及び音声処理回路１２を通じてスピーカ１４に出力される。
さらに，録画・再生回路１７は，ハードディスクドライブ１８又はＤＶＤドライブ１９のディスクに記憶された録画データの再生処理を実行途中でリモコン１５において再生の中断操作（例えば，再生終了キーの押下操作）がなされた場合に，その再生処理の中断位置の情報と録画データの識別情報（データファイル名や録画データのタイトル情報等）とを含むレジューム情報を制御回路８に引き渡し，制御回路８はそのレジューム情報を不揮発メモリ８ｃに記録する。そして，制御回路８は，リモコン１５に対して録画データの選択操作及び再生開始操作（例えば，再生キーの押下操作）がなされたことを検知した場合，前記レジューム情報に基づいて，録画・再生回路１７に対して録画データの再生処理を開始させる制御を実行する。
【００１９】
ところで，不揮発メモリ８ｃに記憶される前記パラメータ情報（音声及び映像の出力処理の内容を定めるパラメータの設定情報），コンテンツの再生処理のレジューム情報，異常状態の情報，処理の実行履歴の情報及び操作履歴の情報や，ハードディスクドライブ１８のディスクに記憶される録画予約の設定情報は，テレビジョン受像機Ｘ内部の状態を表す情報である。以下，これらの情報を総称して内部状態情報という。なお，前記パラメータ情報は，音声関係のパラメータの設定情報のみ，或いは映像関係のパラメータの設定情報のみである場合も考えられる。
制御回路８は，ＭＰＵ８ａが所定のプログラムを実行することにより，リモコン１５に対する所定の操作に応じて，前記内部状態情報を含む情報を表すＱＲコード（ＱＲコードを表す画像データ）を生成する処理を実行する（ＱＲコード生成手段の一例）。その場合，制御回路８は，生成したＱＲコードを映像処理回路６に引き渡し，映像処理回路６が，そのＱＲコードを含む画像の画像信号を生成して映像表示部１６に出力する（前記ＱＲコード画像信号出力手段の一例）。
ここに示したＱＲコードの表示に関する一連の処理のことを，以下，ＱＲコード出力処理という。
【００２０】
次に，図２に示すフローチャートを参照しつつ，制御回路８（のＭＰＵ８ａ）が所定のプログラムを実行することによって実現されるＱＲコード出力処理の手順について説明する。なお，以下に示すＳ１，Ｓ２，…は，処理手順（ステップ）の識別符号を表す。
まず，制御回路８は，リモコン１５に対して所定のＱＲコード出力指示操作（例えば，リモコン１５に設けられたＱＲコードキー（専用キー）の押下操作）がなされたか否かを随時チェックする（Ｓ１）。
そして，制御回路８は，ＱＲコード出力指示操作がなされたことを検知すると，映像処理回路６を制御することにより，映像表示部１６にＱＲコード出力選択メニュー画面ｖ１を表示させる（Ｓ２）。
図４は，ステップＳ２の処理により，映像表示部１６に表示される前記ＱＲコード出力選択メニュー画面ｖ１の一例を表す。図４に示す例は，前記ＱＲコード出力選択メニュー画面ｖ１が，既に表示中の元の映像画面ｖ０に重ねて表示されている状態（いわゆるＯＳＤ表示の状態）を表す。
図４に示すように，ＱＲコード出力選択メニュー画面ｖ１は，前記内部状態情報のうちのいずれを出力対象とするかを選択するためのメニュー画面である。
【００２１】
制御回路８は，ＱＲコード出力選択メニュー画面ｖ１を表示中のリモコン１５に対する選択操作（例えば，番号キーの押下操作）を検知し，その選択操作に応じて，前記内部状態情報の中から出力対象とする情報を選択する（Ｓ３）。
さらに，制御回路８は，リモコン１５に対する選択操作に応じて選択した内部状態情報を含む情報を表すＱＲコードを生成する（Ｓ４，前記ＱＲコード生成手段の一例）。
このステップＳ４において，制御回路８は，ステップＳ３で選択された情報（前記内部状態情報）の種類に応じて以下のようにＱＲコードを生成する。
即ち，選択された内部状態情報が前記異常状態の情報，処理の実行履歴の情報及び操作履歴の情報である場合，制御回路８は，それらの情報（内部状態情報）と，その情報の送信先を表す宛先情報と，当該テレビジョン受像機Ｘの識別情報（型式情報や製造番号等）と，その時点の日時情報とを含む情報を表すＱＲコードを生成する。なお，前記宛先情報は，予め不揮発メモリ８ｃ又はＲＯＭ８ｂに記憶された当該テレビジョン受像機Ｘのユーザサポートセンターを宛先（通信アクセス先）とする電子メールアドレスやＵＲＬ等である。
一方，選択された内部状態情報がその他の情報（前記パラメータ情報（音声及び映像の出力処理の内容を定めるパラメータの設定情報），録画予約の情報又はコンテンツ再生処理のレジューム情報）である場合，制御回路８は，それらの情報（内部状態情報）とその時点の日時情報とを含む情報を表すＱＲコードを生成する。
【００２２】
続いて制御回路８は，ステップＳ４で生成したＱＲコードを映像処理回路６に引き渡し，それに応じて映像処理回路６は，そのＱＲコード含む画像の画像信号（映像信号）を生成して映像表示部１６に出力する（Ｓ５，前記ＱＲコード画像信号出力手段の一例）。
図５は，ステップＳ５の処理によって映像表示部１６にＱＲコードの表示画面ｖ２が表示されている例を表す。図５に示す例は，複数（３つ）のＱＲコードが表示された例であるが，ステップＳ４及びＳ４の処理によって生成及び表示されるＱＲコードの数は，ステップＳ３で選択された内部状態情報の情報量に応じて１つである場合も複数である場合もある。
このＱＲコードの表示画面ｖ２におけるＱＲコードは，カメラ付き携帯電話機等の携帯端末２０により，カメラによる撮影及び撮影画像データの記憶と，その撮影画像データに基づくＱＲコードのデコードと，そのデコード情報の表示（携帯端末２０が備える表示部への表示）及びメモリへの記録とが行われる。携帯端末２０のメモリに記録（記憶）されたＱＲコードのデコード情報は，後にテレビジョン受像機Ｘに送信され，テレビジョン受像機Ｘは，そのデコード情報をＩｒＳｉｍｐｌｅ受光部９ｂを通じて受信するとともに，そのデコード情報に対応する処理（以下，ＱＲコードデコード情報対応処理という）を実行する。その詳細については後述する。
その後，制御回路８は，リモコン１５に対してＱＲコードの表示画面ｖ２の表示状態を解除する操作（例えば，リモコン１５に設けられたＱＲコードキー（専用キー）の押下操作）がなされたか否かを随時チェックする（Ｓ６）。
そして，制御回路８は，ＱＲコードの表示画面ｖ２の表示状態を解除する操作がなされたことを検知すると，映像処理回路６を制御することにより，映像表示部１６の表示状態を元の表示状態（ステップＳ２の処理が開始される前の表示状態）に戻した上で（Ｓ７），前述したステップＳ１へ処理を戻す。制御回路８は，以上に示したステップＳ１〜Ｓ７の処理を繰り返す。
【００２３】
一方，携帯端末２０は，ＱＲコードのデコード情報に電子メールアドレスが含まれる場合には，その電子メールアドレスを宛先とし，デコード情報におけるその他の情報（内部状態情報を含む）を送付データとする電子メールの送信データを自動生成する。そして，携帯端末２０は，その操作部に対して所定のメール送信操作（メール送信キーの押下操作等）が行われた場合に，自動生成した電子メールの送信データを送信する。
また，携帯端末２０は，ＱＲコードのデコード情報にＵＲＬが含まれる場合には，そのＵＲＬをアクセス先として表示するＷｅｂデータ（ＨＴＭＬデータ等）を自動生成する。そして，携帯端末２０は，その操作部に対して表示したＵＲＬを指定する操作が行われた場合に，デコード情報におけるその他の情報（内部状態情報を含む）を指定されたＵＲＬを宛先としてアップロード（送信）する。なお，ＱＲコードの画像データそのものを電子メール送信或いはアップロードすることも考えられる。
このように，ごく一般的な携帯電話機（インターネット接続機能を備えたカメラ付き携帯電話機）等の携帯端末２０を用いて，映像表示部１６に表示されたＱＲコードの撮影，その撮影画像に基づくＱＲコードのデコード，及びそのデコード情報に基づく内部状態情報のインターネットを通じた送信を簡易に行うことができる。その結果，ＡＶ機器のユーザが，ユーザサポートサービスを受けるために，当該テレビジョン受像機Ｘの内部状態情報を電子メールやホームページへのアクセスを通じてサービス提供者側に送信することが容易となる。
【００２４】
次に，図３に示すフローチャートを参照しつつ，制御回路８により実行される前記ＱＲコードデコード情報対応処理の手順について説明する。
まず，制御回路８は，リモコン１５に対してＩｒＳｉｍｐｌｅ通信モードへの移行操作（例えば，リモコン１５に設けられたＩｒＳｉｍｐｌｅキー（専用キー）の押下操作）がなされたか否かを随時チェックする（Ｓ１１）。
そして，制御回路８は，ＩｒＳｉｍｐｌｅ通信モードへの移行操作がなされたことを検知すると，ＩｒＳｉｍｐｌｅ受光部９ｂ（信号受信手段の一例）を通じて，携帯端末２０からデータを受信し，受信データを不揮発メモリ８ｃに記憶させる（Ｓ１２）。この受信データ（携帯端末２０による送信データ）は，カメラ付きの携帯端末２０において，当該テレビジョン受像機Ｘ又はこれと同機能を備えた他のテレビジョン受像機が映像表示部１６に表示させたＱＲコードを撮像し，その撮像画像に含まれるＱＲコードをデコードして得られたデコード情報であるか，或いはその他のデータ（携帯端末２０のカメラで撮像した画像データ等）である。なお，ステップＳ１２の処理を実行する制御回路８が，前記デコード情報受信手段の一例である。
【００２５】
次に，制御回路８は，携帯端末２０からの受信データの種類を判別する（Ｓ１３，Ｓ１５）。
ここで，制御回路８は，携帯端末２０からの受信データに，前記パラメータ情報（音声及び映像の出力処理の内容を定めるパラメータの設定情報（デコード情報の一例））が含まれると判別した場合（Ｓ１３のＹ），その受信データに含まれる前記パラメータ情報に基づいて，前記パラメータ情報の再設定（不揮発メモリ８ｃに既に記憶されている情報の更新）を自動的に実行し（Ｓ１４，前記パラメータ設定手段の一例），その後，前述したステップＳ１１へ処理を戻す。
これにより，部品交換や誤操作等によって前記パラメータ情報が初期化された場合や，当該テレビジョン受像機Ｘを共用する複数のユーザの嗜好や視聴するコンテンツの種類に対応した前記パラメータ情報の内容が異なる場合に，前記パラメータ情報のＱＲコードを携帯端末２０で予め撮影し，その撮像画像データ（ＱＲコードの画像データ）に基づくＱＲコードのデコード情報を携帯端末２０のメモリに記憶させておけば，前記パラメータ情報を再設定する手間を軽減できる。
【００２６】
また，制御回路８は，携帯端末２０からの受信データに，コンテンツ再生処理のレジューム情報（デコード情報の一例）が含まれると判別した場合（Ｓ１５のＹ），その受信データに含まれるレジューム情報に基づいて，リモコン１５に対する操作によって指定されたコンテンツ（ハードディスクドライブ１８又はＤＶＤドライブ１９に記憶された録画データ）の再生開始位置を特定し，特定した再生開始位置から録画・再生回路１７による再生処理を開始させ（Ｓ１６，前記レジューム再生制御手段の一例），その後，前述したステップＳ１１へ処理を戻す。
より具体的には，制御回路８は，まず，リモコン１５を通じて指定された録画データの識別情報と，受信データ内のレジューム情報に含まれる識別情報とが一致するか否かを判別する。次に，制御回路８は，それら識別情報が一致すると判別した場合，受信データ内のレジューム情報に含まれる再生処理の中断位置の情報に基づいて，指定された録画データにおける再生開始位置を特定する。そして，制御回路８は，リモコン１５に対する再生開始操作（再生キーの押下操作等）がなされたことを検知すると，録画・再生回路１７を制御することにより，特定した再生開始位置（即ち，前回の再生中断位置）から指定された録画データの再生処理を開始させる。なお，制御回路８は，指定された録画データの識別情報と，受信データ内のレジューム情報に含まれる識別情報とが一致しないと判別した場合には，リモコン１５に対する再生開始操作に応じて，指定された録画データの再生処理をその先頭部分から開始させる。
これにより，テレビジョン受像機Ｘは，再生対象となるコンテンツ（録画データ）が着脱自在の記憶メディアであるＤＶＤに記憶されており，そのＤＶＤの入れ替えによって過去に不揮発メモリ８ｃに記憶されたレジューム情報が削除（或いは初期化）されている場合であっても，レジューム再生機能を有効にすることができる。
【００２７】
以上に示したように，制御回路８は，ＩｒＳｉｍｐｌｅ受光部９ｂを通じて受信したデータがＱＲコードのデコード情報を含む場合，そのデコード情報に対応する処理（Ｓ１４，Ｓ１６）を実行する（前記第１のデコード情報対応処理実行手段の一例）。
一方，制御回路８は，携帯端末２０からの受信データが，前記パラメータ情報も前記レジューム情報も含まない他のデータである場合，そのデータの内容に応じて予め定められた処理を実行し（Ｓ１７），その後，前述したステップＳ１１へ処理を戻す。例えば，制御回路８は，携帯端末２０からの受信データが携帯端末２０のカメラでの撮影により得られた画像データである場合，その画像データを不揮発メモリ８ｃに記憶させるとともに，映像処理回路５を制御することにより，その画像データに基づく映像（画像）を映像表示部１６に表示させる。
【００２８】
以上に示した実施形態では，制御回路８が，ＩｒＳｉｍｐｌｅ受光部９ｂを通じてＱＲコードのデコード情報を受信し（Ｓ１２），その受信情報（デコード情報）に対応する処理（Ｓ１４，Ｓ１６）を実行する例を示した。
これに対し，前記テレビジョン受像機Ｘが，ＱＲコードを含む画像の画像データを取得する画像データ取得部を備えることも考えられる。この場合，制御回路８が，その画像データ取得部により取得された画像データに基づく画像に含まれるＱＲコードをデコードし（前記ＱＲコードデコード手段の一例），そのデコード情報に対応する処理を実行する（前記第２のデコード情報対応処理実行手段の一例）。
例えば，前記テレビジョン受像機Ｘが，前記画像データ取得部として，二次元の像を撮像して画像データを得るカメラ（撮像手段）を備える例が考えられる。
この場合，ユーザは，リモコン１５に対してＱＲコード撮像モードへの移行操作（例えば，ＱＲコードキー（専用キー）の押下操作等）を行った上で，携帯端末２０の表示部（液晶表示パネル等）に，予めテレビジョン受像機Ｘの映像表示部１６の画面を撮影して保存しておいておいたＱＲコード（画像）を表示させ，そのＱＲコードの表示画面をテレビジョン受像機Ｘのカメラに近づける。
一方，制御回路８は，リモコン１５に対するＱＲコード撮像モードへの移行操作を検知すると，前記カメラによる撮像画像（携帯端末２０の表示部に表示されたＱＲコードを含む画像）を取得し，その撮像画像からＱＲコードを抽出するとともに，抽出したＱＲコードをデコードし，そのデコード情報を不揮発メモリ８ｃに記憶させる。このとき，制御回路８が，映像処理回路６を制御することにより，前記カメラによる撮像画像を映像表示部１６に表示させることが望ましい。これにより，前記カメラに対する携帯端末２０（ＱＲコードの表示画面）の位置合わせが容易となる。
なお，制御回路８が，不揮発メモリ８ｃに記憶させたデコード情報の内容に応じた処理（図３に示したＳ１３〜Ｓ１６の処理）を実行することは，実施形態に示した前記テレビジョン受像機Ｘの場合と同様である（前記第２のデコード情報対応処理実行手段の一例）。
このように，テレビジョン受像機Ｘが，カメラとそのカメラにより撮影されたＱＲコードのデコード機能とを備えることにより，携帯端末２０は，ＱＲコードを撮影するカメラと，そのカメラにより得られる画像データを記憶するメモリと，その画像データに基づく画像を表示する表示部とを備えていればよく，ＱＲコードのデコード機能やテレビジョン受像機Ｘへのデータ送信機能を備える必要がない。そのため，携帯端末２０として一般的なデジタルカメラ等を用いることもできる。
【００２９】
また，前記テレビジョン受像機Ｘにおいて，ＩｒＳｉｍｐｌｅ受光部９ｂ及び制御回路８が，前記画像データ取得部として機能することも考えられる。
この場合，ユーザは，リモコン１５に対してＱＲコード受信モードへの移行操作（例えば，ＱＲコードキー（専用キー）の押下操作等）を行った上で，携帯端末２０において過去に撮影したＱＲコードの画像データをテレビジョン受像機Ｘに送信するための操作を行う。
一方，制御回路８は，リモコン１５に対するＱＲコード受信モードへの移行操作を検知すると，ＩｒＳｉｍｐｌｅ受光部９ｂを通じて携帯端末２０からＱＲコードを含む画像の画像データを取得（受信）し，その画像データからＱＲコードを抽出するとともに，抽出したＱＲコードをデコードし，そのデコード情報を不揮発メモリ８ｃに記憶させる。
なお，制御回路８が，不揮発メモリ８ｃに記憶させたデコード情報の内容に応じた処理（図３に示したＳ１３〜Ｓ１６の処理）を実行することは，実施形態に示した前記テレビジョン受像機Ｘの場合と同様である（前記第２のデコード情報対応処理実行手段の一例）。
このように，テレビジョン受像機Ｘが，ＱＲコードを含む画像データの受信機能と，受信データに基づくＱＲコードのデコード機能とを備えることにより，携帯端末２０は，ＱＲコードを撮影するカメラと，そのカメラにより得られる画像データを記憶するメモリと，その画像データをテレビジョン受像機Ｘへのデータ送信機能とを備えていればよく，ＱＲコードのデコード機能を備える必要がない。そのため，携帯端末２０としてＱＲコードのデコード機能を備えないカメラ付き携帯電話機等を用いることもできる。
また，前述の実施形態では，本発明の実施形態に係るＡＶ機器の一例として，映像表示部１６を備えたテレビジョン受像機Ｘを示したが，本発明は，録画再生装置のように，映像表示部を備えた外部装置（テレビジョン受像機等）に対し，所定のインターフェース（ＡＶ端子やＨＤＭＩインターフェース等）を通じて映像信号を出力する他のＡＶ機器への適用も可能である。
【００３０】
また，前述した実施形態は，テレビジョン受像機Ｘの前記内部状態情報をＱＲコード化して映像表示部１６に表示させる例であった。
一方，テレビジョン受像機Ｘがその映像表示部１６に映像を表示させている状態において，制御回路８が，その状態のテレビジョン受像機Ｘの操作方法の説明情報を含むＱＲコードを，既に表示中の映像とともに映像表示部１６に表示させる実施例も考えられる。
以下，図６を参照しつつ，そのような本発明の実施例に係るＡＶ機器の一例であるテレビジョン受像機Ｘ’について説明する。なお，テレビジョン受像機Ｘ’は，前記テレビジョン受像機Ｘと同じハードウェア構成を備えている。
テレビジョン受像機Ｘ’において，前記制御回路８は，リモコン１５に対する操作に応じた映像ｖ３を映像表示部１６に表示させる際に，その映像ｖ３とともに，その映像ｖ３を表示する状態における当該テレビジョン受像機Ｘ’の操作方法の説明情報を含む（その説明情報をコード化した）ＱＲコードｖ５を，表示対象とする映像ｖ３とともに映像表示部１６に表示させる。なお，図６に示す映像ｖ３は，テレビジョン放送の番組ガイド情報を表示する映像の一例である。
前記操作方法の説明情報としては，例えば，リモコン１５の操作キーの情報とその操作キーが操作されたときの処理内容を表す情報との対応関係を表す情報や，表示中の用語やマークを説明する情報等が考えられる。制御回路８のＲＯＭ８ｂ又は不揮発性メモリ８ｃには，映像表示部１６に表示させる映像の種類ごとに，その映像を表示中に有効な操作に関する説明情報が予め記憶されている。そして，制御回路８は，映像表示部１６に映像ｖ３を表示させる際に，その映像ｖ３の種類に対応する前記説明情報をＲＯＭ８ｂ又は不揮発性メモリ８ｃから読み出し，その説明情報を含むＱＲコードｖ５を生成してそのＱＲコードを表示対象とする映像ｖ３とともに映像表示部１６に表示させる。
【００３１】
図６に示すように，ＱＲコードは，ごく小さなスペースに表記できるものであり，そのＱＲコードには大量の情報（１つのＱＲコードで約２千文字分の情報）を含めることができる。
そして，携帯端末２０により，映像表示部１６に表示されたＱＲコードｖ５を撮像し，そのＱＲコードｖ５をデコードした情報ｖ６（即ち，テレビジョン受像機Ｘ’の操作方法の説明情報）をその表示部に表示させることができる。
このように，テレビジョン受像機Ｘ’によれば，前記説明情報の情報量が多い場合であっても，映像表示部１６に既に表示させている映像ｖ３の画面をほとんど遮ることなくその説明情報を携帯端末２０の表示部を通じてユーザに提供することができる。その結果，ユーザは，携帯端末２０の表示部を通じて提供される前記説明情報を参照しつつ，テレビジョン受像機Ｘ’の操作を円滑に進めることができる。
なお，所定の無線通信によりテレビジョン受像機Ｘ’から携帯端末２０等の表示部を備えた外部装置に前記説明情報を所定の通信媒体を通じて送信することも考えられる。しかしながら，その場合，外部装置との間で通信を開始するための操作方法を説明する必要が生じたり，そもそもテレビジョン受像機Ｘ’が外部装置との通信を行う状態であるときには説明情報の送信を行うことができないといった問題が生じ得る。この点，テレビジョン受像機Ｘ’において説明情報提示に必要な操作，即ち，表示されたＱＲコードをカメラを備えた携帯端末２０で撮像するという操作は，ユーザにとってごく一般的でわかりやすい操作である。
【産業上の利用可能性】
【００３２】
本発明は，テレビジョン受像機や録画再生装置等のＡＶ機器への利用が可能である。
【図面の簡単な説明】
【００３３】
【図１】本発明の実施形態に係るＡＶ機器の一例であるテレビジョン受像機Ｘの概略構成を表すブロック図。
【図２】テレビジョン受像機ＸにおけるＱＲコード出力処理の手順を表すフローチャート。
【図３】テレビジョン受像機ＸにおけるＱＲコードデコード情報対応処理の手順を表すフローチャート。
【図４】テレビジョン受像機ＸにおけるＱＲコード出力選択メニュー画面の例を表す図。
【図５】テレビジョン受像機ＸにおけるＱＲコードの表示例を表す図。
【図６】本発明の実施例に係るＡＶ機器の一例であるテレビジョン受像機Ｘ’の表示画面及び携帯端末の表示画面の一例を表す図。
【図７】従来のＡＶ機器がその映像表示部に映像と操作方法の説明情報とを表示させた状態を表す図。
【符号の説明】
【００３４】
Ｘ，Ｘ’：テレビジョン受像機
１  ：ディジタルチューナ
２  ：復調回路
３  ：デマルチプレクサ
４  ：映像デコーダ回路
５  ：映像入力選択回路
６  ：映像処理回路
７  ：外部入力部
８  ：制御回路
９ａ：リモコン受光部
９ｂ：ＩｒＳｉｍｐｌｅ受光部
１０：音声デコーダ回路
１１：音声入力選択回路
１２：音声処理回路
１３：アンプ
１４：スピーカ
１５：リモコン
１６：映像表示部
１７：録画・再生回路
１８：ハードディスクドライブ
１９：ＤＶＤドライブ
２０：携帯端末
Ｓ１，Ｓ２，・・：ステップ（処理手順）
【図１】
2009049948.tif 000003
【図２】
2009049948.tif 000004
【図３】
2009049948.tif 000005
【図４】
2009049948.tif 000006
【図５】
2009049948.tif 000007
【図６】
2009049948.tif 000008
【図７】
2009049948.tif 000009